(57)【要約】【課題】全てのトランクボックスへの出入りが前列の１段目で行え、多数のトランクボックスを配設でき、設置スペースに無駄が生せず、配設効率が良く、装置の複雑化を防止し、コストを低減でき、簡素で、安価で、経済的な装置を提供する。【解決手段】前列に少なくとも１つの空きスペースを含むよう配すると共に、左右方向に移動可能な横行機能を有する複数の横行台車Ｍと、後列に配すると共に前後方向に移動可能な走行機能を有する複数の走行台車Ｎと、複数の横行台車Ｍを左右方向に跨ぐように配する鉄骨フレームＬと、横行台車Ｍ及び走行台車Ｎの上に複数段に積重可能な複数のトランクボックスと、トランクボックスの上下間に介装する連結装置Ｊと、鉄骨フレームＬの上部に配する昇降横行台車Ｋとを備え、昇降横行台車Ｋに横行機能と連結機能と昇降機能とを設ける。【選択図】図６
0003103093.tif 000002
【実用新案登録請求の範囲】
【請求項１】
前列に於いて少なくとも１つの空きスペースを含むように配されると共に、左右方向に移動可能な横行機能を有する複数の横行台車と、後列に於いて配されると共に空きスペースを利用して前後方向に移動可能な走行機能を有する複数の走行台車と、複数の横行台車に対して左右方向に跨ぐように配される鉄骨フレームと、横行台車及び走行台車の上に複数段に積重可能な複数のトランクボックスと、積重されたトランクボックスの上下間に介装される連結装置と、鉄骨フレームの上部に配される昇降横行台車とを備え、この昇降横行台車に、鉄骨フレーム上を横行する横行機能と、トランクボックスの上部に連結可能な連結機能と、この連結機能によって連結されたトランクボックスを昇降自在な昇降機能とを設けたことを特徴とする前後二列タイプの機械式多段トランクボックス装置。
【請求項２】
前列に於いて少なくとも１つの空きスペースを含むように配されると共に、左右方向に移動可能な横行機能を有する複数の横行台車と、後列に於いて配されると共に空きスペースを利用して前後方向に移動可能な走行機能を有する複数の走行台車と、複数の横行台車に対して左右方向に跨ぐように配される鉄骨フレームと、横行台車及び走行台車の上に２段に積重可能な複数のトランクボックスと、鉄骨フレームの上部に配される昇降横行台車とを備え、この昇降横行台車に、鉄骨フレーム上を横行する横行機能と、トランクボックスの上部に連結可能な連結機能と、この連結機能によって連結されたトランクボックスを昇降自在な昇降機能とを設けたことを特徴とする前後二列タイプの機械式多段トランクボックス装置。
【請求項３】
前列に於ける空きスペースを複数設けたことを特徴とする請求項１または請求項２記載の前後二列タイプの機械式多段トランクボックス装置。
【考案の詳細な説明】
【技術分野】
【０００１】
本考案は、例えば、保管用の物置として利用される施錠可能な複数のトランクボックスを、所定平面内に前後二列で左右複数列に配置すると共に、多段式に積上げた状態に配置して、管理できるようにした機械式多段トランクボックス装置に係り、配置されている全てのトランクボックスに対して、所望のトランクボックスを前列の１段目に移動させることができ、トランクボックスへの荷物の出入れが簡単に行えるように工夫した前後二列タイプの機械式多段トランクボックス装置に関するものである。
【背景技術】
【０００２】
従来、この種の機械式多段トランクボックス装置としては、例えば、本願出願人が開発した特許文献１のような図１、図２に示す機械式多段トランクボックス装置がある。
これは、例えば、三列の横行台車Ｄ上にトランクボックス１〜９が３台宛積載され、積重ねられたトランクボックスの間に連結装置Ａが配置され、空きスペースが１列あり、この空きスペースと横行台車Ｄの周りにトランクボックスと干渉しない鉄骨フレームＣが配置され、この鉄骨フレームＣ上に、吊りチェーンＥによって吊り下げられて昇降する連結装置Ａを有する昇降横行台車Ｂが配置されており、１段目のトランクボックス１、２、３は何時でも出入れを行うことができるように構成されている。
【０００３】
更に、例えば、図２に示すように２段目のトランクボックス５を呼出す場合は、昇降横行台車Ｂを横行せしめて、トランクボックス５の列の上部で停止させる。次に、昇降横行台車Ｂの連結装置Ａを下降させて、トランクボックス８の上部に重ねて停止させ、昇降横行台車Ｂの連結装置Ａをトランクボックス８と連結する。そして、トランクボックス８とトランクボックス５との間の連結装置Ａによって、トランクボックス８、５を連結すると共に、トランクボックス５とトランクボックス２の間の連結装置Ａによってその連結を解除してから、昇降横行台車Ｂの連結装置Ａを上昇させてトランクボックス８、５を吊り上げる。それから、トランクボックス１の列とトランクボックス２を空きスペースへ向って横行させて、トランクボックスボックス５の下方に空きスペースが設けてから、昇降横行台車Ｂの連結装置Ａを下降せしめて、トランクボックス５、８を空きスペースに載置し、トランクボックス５への出入れを行うことができるようにしてある。
【０００４】
加えて、３段目のトランクボックス８を呼出す場合は、トランクボックス８とトランクボックス５の間の連結装置Ａによってその連結を解除してから、昇降横行台車Ｂの連結装置Ａを上昇させてトランクボックス８のみを吊り上げて、前記と同様に行うようになっている。
【０００５】
また、図３に示すような従来の機械式多段トランクボックス装置があり、これは前述のような機械式多段トランクボックス装置を前後に配置し、前列及び後列夫々に空きスペースを設けたものである。そして、後列のトランクボックス８へ荷物を出入れする時は、利用者が前列の空きスペースを利用して装置内を通行して所望のトランクボックス８の前に移動して荷物の出入れを行うように構成したものである。
【０００６】
【特許文献１】実用新案登録第３０８９５６５号
【考案の開示】
【考案が解決しようとする課題】
【０００７】
ところが、前述の如き機械式多段トランクボックス装置にあっては、トランクボックスが前後方向１列となるため多数のトランクボックスを配設し難い難点や、トランクボックスの配設効率が悪い難点等があった。
【０００８】
また、前述のような機械式多段トランクボックス装置を前後に配置したものは、前列及び後列夫々に空きスペースを設ける必要であり、トランクボックスを設置するスペースに無駄が生じ、トランクボックスの配設効率が悪い難点があった。しかも、後列のトランクボックスへ荷物の出入れを行う場合、利用者が前列の空きスペースを利用して装置内を通行しなければならず、そのために、利用者への安全を十分考慮した安全対策を行う必要があり、更に、利用者心理から両側が高い塀に囲まれた細い通路を通るので精神的な面を考慮した安全対策も行う必要がある等の難点があった。そのため、装置が複雑となる難点や、コスト高となる難点等もあった。
【課題を解決するための手段】
【０００９】
そこで、本考案は、前述の如き難点等を解消できるようにすると共に、トランクボックスへの出入りがすべて前列の１段目で行うことができ、装置が複雑になることがなく、コストを安価に抑えられ、また、空きスペースが少なくて済み、トランクボックスの配設効率を向上することができるようにすべく案出されたものである。
【００１０】
しかして、本考案の請求項１記載の前後二列タイプの機械式多段トランクボックス装置にあっては、前列に於いて少なくとも１つの空きスペースを含むように配されると共に、左右方向に移動可能な横行機能を有する複数の横行台車Ｍと、後列に於いて配されると共に空きスペースを利用して前後方向に移動可能な走行機能を有する複数の走行台車Ｎと、複数の横行台車Ｍに対して左右方向に跨ぐように配される鉄骨フレームＬと、横行台車Ｍ及び走行台車Ｎの上に複数段に積重可能な複数のトランクボックスと、積重されたトランクボックスの上下間に介装される連結装置Ｊと、鉄骨フレームＬの上部に配される昇降横行台車Ｋとを備え、この昇降横行台車Ｋに、鉄骨フレームＬ上を横行する横行機能と、トランクボックスの上部に連結可能な連結機能と、この連結機能によって連結されたトランクボックスを昇降自在な昇降機能とを設ける手段を採用した。
【００１１】
また、本考案の請求項２記載の前後二列タイプの機械式多段トランクボックス装置にあっては、前列に於いて少なくとも１つの空きスペースを含むように配されると共に、左右方向に移動可能な横行機能を有する複数の横行台車Ｍと、後列に於いて配されると共に空きスペースを利用して前後方向に移動可能な走行機能を有する複数の走行台車Ｎと、複数の横行台車Ｍに対して左右方向に跨ぐように配される鉄骨フレームＬと、横行台車Ｍ及び走行台車Ｎの上に２段に積重可能な複数のトランクボックスと、鉄骨フレームＬの上部に配される昇降横行台車Ｋとを備え、この昇降横行台車Ｋに、鉄骨フレームＬ上を横行する横行機能と、トランクボックスの上部に連結可能な連結機能と、この連結機能によって連結されたトランクボックスを昇降自在な昇降機能とを設ける手段を採用した。
【００１２】
更に、本考案の請求項３記載の前後二列タイプの機械式多段トランクボックス装置にあっては、前列に於ける空きスペースを複数設ける手段を採用した。
【考案の効果】
【００１３】
従って、本考案の請求項１によれば、全てのトランクボックスへの出入りが、前列の１段目で行うことができるようになる。
しかも、多数のトランクボックスを配設することができ、トランクボックスの配設効率が良いものとなる。
特に、少なくとも前列に１つの空きスペースを設けるだけでよく、トランクボックスを設置するスペースに無駄が生せず、トランクボックスの配設効率が更に良くなる。
また、従来のように、両側が高い塀に囲まれた細い通路を通るのときの安全対策（精神的な面を考慮した安全対策も含む）が不要となり、そのための装置の複雑化を防止できると共に、そのためのコストを低減できるようになる。
しかも、装置が簡素となり、コストを安価に抑えられ、経済的な前後二列タイプの機械式多段トランクボックス装置となる。
【００１４】
また、本考案の請求項２によれば、全てのトランクボックスへの出入りが、前列の１段目で行うことができるようになる。
しかも、多数のトランクボックスを配設することができ、トランクボックスの配設効率が良いものとなる。
特に、少なくとも前列に１つの空きスペースを設けるだけでよく、トランクボックスを設置するスペースに無駄が生せず、トランクボックスの配設効率が更に良くなる。
また、従来のように、両側が高い塀に囲まれた細い通路を通るのときの安全対策（精神的な面を考慮した安全対策も含む）が不要となり、そのための装置の複雑化を防止できると共に、そのためのコストを低減できるようになる。
加えて、トランクボックス間に配される連結装置Ｊが不要となり、装置がより簡素となり、コストをより安価に抑えられ、一層経済的な前後二列タイプの機械式多段トランクボックス装置となる。
【００１５】
更に、本考案の請求項３によれば、多くの所望トランクボックスを効率良く順次呼出すことができるようになり、待ち時間が少なくて済むようになる。
【考案を実施するための最良の形態】
【００１６】
以下、本考案を図示例に基づいて説明すると、次の通りである。
本考案の前後二列タイプの機械式多段トランクボックス装置は、保管用の物置として利用される施錠可能な複数のトランクボックス１１〜３８を、所定平面内に、前後二列で左右複数列に配置すると共に、多段式に積上げた状態に配置して、管理できるようにしたもので、この配置されている全てのトランクボックス１１〜３８に対して、所望のトランクボックスを前列の１段目に移動させることができ、トランクボックスへの荷物の出入れが簡単に行えるように構成したものである。
【００１７】
具体的には、前列に於いて少なくとも１つの空きスペースを含むように配されると共に、左右方向に移動可能な横行機能を有する複数の横行台車Ｍと、後列に於いて配されると共に空きスペースを利用して前後方向に移動可能な走行機能を有する複数の走行台車Ｎと、複数の横行台車Ｍ及び空きスペースに対して左右方向に跨ぐように配される鉄骨フレームＬと、横行台車Ｍ及び走行台車Ｎの上に複数段に積重可能な複数のトランクボックスと、積重されたトランクボックスの上下間に介装される連結装置Ｊと、鉄骨フレームＬの上部に配される昇降横行台車Ｋとを備えたものである。
【００１８】
そして、昇降横行台車Ｋは、鉄骨フレームＬ上を横行する横行機能と、トランクボックスの上部に連結可能な連結機能と、この連結機能によって連結されたトランクボックスを昇降自在な昇降機能とが設けられた構成となっている。
【００１９】
前記トランクボックス１１〜３８は、例えば、正面がわの扉が施錠可能となるような略矩形箱状に形成され、しかも、その積重状態が安定的となるように形成されたものが利用される。
【００２０】
前記横行台車Ｍは、横行機能によって左右方向に移動可能となるように構成されており、横行機能は、例えば、内蔵したモータや駆動車輪等の適宜駆動装置によって、適宜配したレール等の上を移動できるように形成されている。
【００２１】
前記走行台車Ｎは、走行機能によって前後方向に移動可能となるように構成されており、走行機能は、例えば、内蔵したモータや駆動車輪等の適宜駆動装置によって、適宜配したレール等の上を移動できるように形成されている。
【００２２】
前記鉄骨フレームＬは、例えば、適宜鉄骨材等によって形成されており、前列の横行台車Ｍ及びトランクボックス及び空きスペースに対して左右方向に跨ぐように配されている。しかも、鉄骨フレームＬは、横行台車Ｍやトランクボックスに干渉しないように配置されている。
【００２３】
前記連結装置Ｊは、例えば、２段目以上のトランクボックスの下部に夫々固着されており、下のトランクボックスの上に重なるように配置されている。そして、連結装置Ｊが連結状態にあるときは、上のトランクボックスと下のトランクボックスが確実に連結されて、同時に昇降するように構成されている。しかも、連結装置Ｊが連結解除状態にあるときは、上のトランクボックスのみが上昇するようになる。
【００２４】
更に、連結装置Ｊは、例えば、図１１に示すように、平面中央に設けたモータ４１と、このモータ４１によって正逆回転するネジシャフト４２と、このネジシャフト４２に螺着される一対のネジシャフト用ナット４３と、この一対のネジシャフト用ナット４３が固着されている一対の伸縮バー４４と、この伸縮バー４４の両端部分に設けられて捩れを抑えるガイドローラ４５と、このガイドローラ４５を含めて伸縮バー４４を案内するガイドフレーム４８と、四隅部分に配されると共に、伸縮バー４４に連繋されて側方に出没自在となる４本のピン４６とを備えた構成となっている。
すなわち、モータ４１の正逆回転によって、一端がわと他端がわとで逆ネジが切ってあるネジシャフト４２を正逆回転させ、ネジシャフト用ナット４３を介して一対の伸縮バー４４をガイドフレーム４８に沿って離隔接近せしめることで、４本のピン４６を側方に出没させることができるように構成されており、この４本のピン４６が、下のトランクボックスの上部四隅に固着した受けプレート４７の貫通孔に挿通されることで、上のトランクボックスと下のトランクボックスを連結したり、或いは分離したりできるように構成されている。尚、連結装置Ａの駆動手段は、モータ４１に限らず、油圧駆動手段や、空圧駆動手段や、電磁ソレノイドによる駆動手段等を採用することができる。
【００２５】
前記昇降横行台車Ｋは、鉄骨フレームＬの上部に配されており、横行機能によって鉄骨フレームＬの上部を左右方向に移動自在となるよう形成され、しかも、その下部には、昇降機能の一部である吊りチェーンＰを介して、トランクボックスの上部に連結可能な連結機能となる前述の如き連結装置Ｊが昇降自在に吊り下げられて構成されている。
【００２６】
横行機能は、例えば、前述の横行台車Ｍの横行機能と同様に、例えば、内蔵したモータや駆動車輪等の適宜駆動装置によって、鉄骨フレームＬ上部に適宜配したレール等の上を移動できるように形成されている。
【００２７】
また、昇降機能は、例えば、昇降横行台車Ｋと連結装置Ｊとを結ぶ複数（例えば、４本）のチェーンＰと、これらの吊りチェーンＰを巻込み巻出し自在なドラムと、このドラムを正逆回転せしめる駆動手段とによって構成されており、連結機能となる連結装置Ｊがスムーズに且つ安定的に昇降自在となるよう形成してある。
【実施例１】
【００２８】
図４乃至図６に示す前後二列タイプの機械式多段トランクボックス装置は、例えば、装置が設置される所定空間の前列に、横行台車Ｍ（走行台車Ｎ）１台分の空きスペースと、３台の横行台車Ｍを配し、後列に４台の走行台車Ｎを配する。そして、これら横行台車Ｍ及び走行台車Ｎの上にトランクボックス１１〜３７を３個宛積重ねると共に、積重されたトランクボックスの上下間夫々に連結装置Ｊを介装する。更に、３台の横行台車Ｍ及びこれらに積重ねられているトランクボックスと、１つの空きスペース部分とを左右方向で跨ぐような鉄骨フレームＬを配し、この鉄骨フレームＬの上部に昇降横行台車Ｋを配して構成したものである。
【００２９】
そして、前列の１段目のトランクボックス１１、１２、１３はいつでも出入れを行うことができる。
また、前列の２段目以上のトランクボックスを呼出す時は、全ての走行台車Ｎは後列に配置しておき、その後の動作は図２の従来の機械式トランクボックスと同様の動作によって、所望のトランクボックスを呼出す。
更に、後列のトランクボックスを呼出す時は（例えば、図６で示すように後列のトランクボックス２６を呼出す時）は、横行台車Ｍを適宜横行させて、トランクボックス２６を載せている走行台車Ｎの前方に空きスペースを設け、その空きスペースにトランクボックス２６を載せた走行台車Ｎを移動させて停止する。
次に、昇降横行台車Ｋをこのトランクボックス２６の上方に移動させて停止し、昇降横行台車Ｋの連結装置Ｊをトランクボックス３６の上部に下降させて停止させる。
そして、この連結装置Ｊをトランクボックス３６に連結させてから、昇降横行台車Ｋの連結装置Ｊを上昇させる。この時、トランクボックス１６とトランクボックス２６の間に配置されている連結装置Ｊは連結解除しておき、トランクボックス２６とトランクボックス３６の間に配置されている連結装置Ｊは連結状態としておき、２個のトランクボックス２６、３６を昇降横行台車Ｋの連結装置Ｊと共に上昇させる。
それから、トランクボックス１６を載せた走行台車Ｎを後列へ移動停止させ、トランクボックス２６の下方に空きスペースを設け、昇降横行台車Ｋの連結装置Ｊを下降させて、トランクボックス２６が１段目で停止させることにより所望のトランクボックス２６への出入れが行えるようになる。
尚、前述の呼出し動作と逆の動作を行うことにより、元の状態に復帰させることができる。
また、トランクボックス３６を呼出す時は、トランクボックス２６とトランクボックス３６の間に配置されている連結装置Ｊを連結解除にすることにより、１個のトランクボックス３６を吊上げてから、前述と同様の動作を行いトランクボックス３６を１段目で停止させて、トランクボックス３６への出入れが行えるようになる。
【実施例２】
【００３０】
次に、図７、図８に示す前後二列タイプの機械式多段トランクボックス装置は、例えば、装置が設置される所定空間の前列に、横行台車Ｍ（走行台車Ｎ）１台分の空きスペースと、３台の横行台車Ｍを配し、後列に４台の走行台車Ｎを配する。そして、これら横行台車Ｍ及び走行台車Ｎの上にトランクボックス１１〜２７を２個宛積重ねる。このとき、積重されたトランクボックスの上下間夫々には連結装置Ｊを介装しない。
更に、３台の横行台車Ｍ及びこれらに積重ねられているトランクボックスと、１つの空きスペース部分とを左右方向で跨ぐような鉄骨フレームＬを配し、この鉄骨フレームＬの上部に昇降横行台車Ｋを配して構成したものである。
【００３１】
そして、前列の１段目のトランクボックス１１、１２、１３はいつでも出入れを行うことができる。
また、前列の２段目のトランクボックス２１、２２、２３を呼出す時は、全ての走行台車Ｎは後列に配置しておき、その後の動作は前述と同様の動作によって、所望のトランクボックスを呼出すが、上下トランクボックスの間の連結装置Ｊの動作のみが不要となっている。
更に、後列のトランクボックスを呼出す時も、上下トランクボックスの間の連結装置Ｊの動作が不要となっていること以外は、前述と同様の動作によって、所望のトランクボックスを呼出すようになる。
【実施例３】
【００３２】
加えて、図９に示す前後二列タイプの機械式多段トランクボックス装置は、例えば、装置が設置される所定空間の前列に、横行台車Ｍ（走行台車Ｎ）２台分の空きスペースと、３台の横行台車Ｍを配し、後列に５台の走行台車Ｎを配する。そして、これら横行台車Ｍ及び走行台車Ｎの上にトランクボックス１１〜３８を３個宛積重ねると共に、積重されたトランクボックスの上下間夫々に連結装置Ｊを介装する。
更に、３台の横行台車Ｍ及びこれらに積重ねられているトランクボックスと、２つの空きスペース部分とを左右方向で跨ぐような鉄骨フレームＬを配し、この鉄骨フレームＬの上部に昇降横行台車Ｋを配して構成したものである。
【００３３】
そして、前列の１段目のトランクボックス１１、１２、１３はいつでも出入れを行うことができる。
また、前列の２段目以上のトランクボックス２１、２２、２３を呼出す時は、全ての走行台車Ｎは後列に配置しておき、その後の動作は前述と同様の動作によって、所望のトランクボックスを呼出す。
更に、後列のトランクボックスを呼出す時も、前述と同様の動作によって、所望のトランクボックスを呼出すようになる。
尚、前列に２つの空きスペースが設けてあるため、順次２個のトランクボックスを呼出すことができるようになる。
【００３４】
図中Ｑは、昇降横行台車Ｋに設置される昇降ガイドで、この昇降ガイドＱは、昇降横行台車Ｋが有する連結装置Ｊに設置したガイドローラＲを案内するもので、昇降ガイドＱに沿ってガイドローラＲが移動することにより、昇降横行台車Ｋの連結装置Ｊがより安定的に昇降させられるように設けられたものである。
また、図４、図６、図７、図９に示す横行台車Ｍ及び走行台車Ｎ及び図４、図６、図７、図９、図１０の昇降横行台車Ｋの横行機能及び走行機能及び昇降機能は、主に、モータ駆動を行っているが、油圧駆動や空圧駆動等でも良い。
更に、昇降横行台車Ｋの昇降機能は、例えば、チェーン方式を採用しているが、他にワイヤー方式やネジ方式等でも良い。
【００３５】
ところで、機械式多段トランクボックス装置の具体的構成、形状、寸法、トランクボックス１１〜３８の具体的構成、形状、寸法、材質、横行台車Ｍの具体的構成、形状、寸法、材質、走行台車Ｎの具体的構成、形状、寸法、材質、鉄骨フレームＬの具体的構成、形状、寸法、材質、昇降横行台車Ｋの具体的構成、形状、寸法、材質、連結装置Ｊの具体的構成、形状、寸法、材質、吊りチェーンＰの具体的構成、形状、寸法、材質、配設位置、数、昇降ガイドＱの具体的構成、形状、寸法、材質、配設位置、数、ガイドローラＲの具体的構成、形状、寸法、材質、配設位置、数等は図示例のもの等に限定されることなく適宜自由に設定、変更できるものである。
また、横行台車Ｍや、走行台車Ｎや、昇降走行台車Ｋや、連結装置Ｊに於いて、その横行機能や、走行機能や、昇降機能や、連結機能等の駆動手段も図示例のもの等に限定されることなく適宜自由に設定、変更できるものである。
更に、昇降走行台車Ｋの昇降機能の吊り装置も図示例のもの等に限定されることなく適宜自由に設定、変更できるものである。
【図面の簡単な説明】
【００３６】
【図１】従来の機械式多段トランクボックス装置を例示する概略図で、（イ）は正面図、（ロ）は側面図、（ハ）は平面図である。
【図２】従来の機械式多段トランクボックス装置の動作状態を例示する概略図である。
【図３】従来の他の機械式多段トランクボックス装置を例示する概略平面図である。
【図４】本考案の前後二列タイプの機械式多段トランクボックス装置を例示する概略図で、（イ）は正面図、（ロ）は側面図、（ハ）は平面図である。
【図５】本考案の前後二列タイプの機械式多段トランクボックス装置を例示する概略部分分解図である。
【図６】本考案の前後二列タイプの機械式多段トランクボックス装置の動作状態を例示する概略図である。
【図７】本考案の他の前後二列タイプの機械式多段トランクボックス装置を例示する概略図で、（イ）は正面図、（ロ）は側面図、（ハ）は平面図である。
【図８】本考案の他の前後二列タイプの機械式多段トランクボックス装置を例示する概略部分分解図である。
【図９】本考案の他の前後二列タイプの機械式多段トランクボックス装置を例示する概略図で、（イ）は正面図、（ロ）は側面図、（ハ）は平面図である。
【図１０】本考案の前後二列タイプの機械式多段トランクボックス装置の昇降ガイド機能を例示する概略側面図である。
【図１１】本考案の前後二列タイプの機械式多段トランクボックス装置の連結装置を例示するもので、（イ）は平面図、（ロ）は正面図である。
【符号の説明】
【００３７】
１〜３８  トランクボックス
４１  モータ
４２  ネジシャフト
４３  ネジシャフト用ナット
４４  伸縮バー
４５  ガイドローラ
４６  ピン
４７  受けプレート
４８  ガイドフレーム
Ａ  連結装置
Ｂ  昇降走行台車
Ｃ  鉄骨フレーム
Ｄ  横行台車
Ｅ  吊りチェーン
Ｊ  連結装置
Ｋ  昇降横行台車
Ｌ  鉄骨フレーム
Ｍ  横行台車
Ｎ  走行台車
Ｐ  吊りチェーン
Ｑ  昇降ガイド
Ｒ  ガイドローラ
【図１】
0003103093.tif 000003
【図２】
0003103093.tif 000004
【図３】
0003103093.tif 000005
【図４】
0003103093.tif 000006
【図５】
0003103093.tif 000007
【図６】
0003103093.tif 000008
【図７】
0003103093.tif 000009
【図８】
0003103093.tif 000010
【図９】
0003103093.tif 000011
【図１０】
0003103093.tif 000012
【図１１】
0003103093.tif 000013